(57)【特許請求の範囲】
【請求項１】
電柱が立設する方向と略直交する水平方向に配置された角柱状の腕金の先端部に固定される腕金取付金具であって、
前記腕金は、電線を支持する碍子であって、碍子本体、この碍子本体の軸方向に突出するボルト部材、及びこのボルト部材に螺合する第１ナットを有し、前記碍子本体及び前記第１ナットで締結される碍子を端部に備え、
前記腕金の先端面に当接する第１当接面を設ける第１当接片、
及びこの第１当接片の一方の片翼から前記第１当接面と略直交する方向に突出して、前記第１ナット及び前記ボルト部材の先端部が配置された前記腕金の一方の面に当接する第１支持面を設ける第１支持片を有する第１取付金具本体と、
前記第１支持片を介して前記ボルト部材の先端部に螺合する第２ナットと、を備え、
前記第１当接片は、共架物を支持する支持部を前記第１当接面と反対側の第２支持面に有し、
前記第１支持片は、その先端面から切り欠かれ、前記第１ナットを逃げる第１開口及び前記ボルト部材の先端部を逃げる第２開口を設ける第１切り欠き部を有する腕金取付金具。
【請求項２】
前記碍子は、電線を支持するための帯板状の第１ストラップであって、前記腕金の延出する方向と略直交する方向に延出するように配置され、当該腕金の両面に締結される一対の第１ストラップを支持し、
前記第１支持片は、前記第１支持面から切り欠かれ、一方の前記第１ストラップを逃げる第２切り欠き部を有する請求項１記載の腕金取付金具。
【請求項３】
電柱が立設する方向と略直交する水平方向に配置された角柱状の腕金の先端部に固定される腕金取付金具であって、
前記腕金は、電線を支持するための帯板状の第２ストラップであって、前記腕金の延出する方向と略直交する方向に延出するように配置され、ボルトと第３ナットを有して、当該腕金の両面に締結される一対の第２ストラップを端部に備え、
前記腕金の先端面に当接する第２当接面を設ける第２当接片、
この第２当接片の一方の片翼から当該第２当接面と略直交する方向に突出して、前記ボルトの頭部が配置された前記腕金の一方の面に当接する第３支持面を設ける第２支持片、
及び前記第２当接片の他方の片翼から当該第２当接面と略直交する方向に突出して、前記第３ナット及び前記ボルトの先端部が配置された前記腕金の他方の面に当接する第４支持面を設ける第３支持片を有する第２取付金具本体と、
前記第３支持片を介して前記ボルトの先端部に螺合する第４ナットと、を備え、
前記第２当接片は、共架物を支持する支持部を前記第２当接面と反対側の第５支持面に有し、
前記第２支持片は、その先端面から開口されて前記ボルトの頭部を逃げる溝部を有し、
前記第３支持片は、
その先端面から切り欠かれて前記ボルトの先端部を逃げる第３切り欠き部と、
この第３切り欠き部に連通して前記第３ナットを逃げる段差部と、を有する腕金取付金具。
【請求項４】
前記第２支持片は、前記第３支持面から切り欠かれ、一方の前記第２ストラップを逃げる第４切り欠き部を有する請求項３記載の腕金取付金具。
【請求項５】
前記支持部は、軸棒の遠心方向に複数の槍状の枝棒を放射状に配列した防巣具を有する請求項１から４のいずれかに記載の腕金取付金具。
【発明の詳細な説明】
【技術分野】
【０００１】
本発明は、腕金取付金具に関する。特に、電柱に設けられる腕金であって、電線及びケーブルを架設する腕金に取り付ける金具の構造に関する。
【背景技術】
【０００２】
一般に、電柱は、角柱状の腕金を水平方向に配置している。そして、この腕金に支持されて、電線及びケーブルを地上に架設している。又、この腕金に固定されることにより、変圧器（トランス）や開閉器なども電柱に支持されている。
【０００３】
地上に架設された変圧器や開閉器などの配電設備に鳥が営巣すると、配電線事故を招くことがある。したがって、軸棒の遠心方向に複数の槍部を放射状に配列した防巣具を開閉器の近傍に配置された腕金に取り付けて、鳥の営巣を防止することが開示されている（例えば、特許文献１参照）。
【０００４】
特許文献１による防巣具の取り付け方法は、予め、防巣具を防巣取付用基台に取り付けている。次に、開閉器を腕金に取り付けている腕金取付具に対して、その先端部を防巣具取付用基台の基板に形成された通孔に挿着している。
【０００５】
次に、腕金取付具の先端部に対して、防巣具取付用固定具の取付孔のうちねじ溝が切られていない第１の孔部を外挿させ、この防巣具取付用固定具を回動させることにより、防巣具取付用固定具のねじ溝が切られた第２の孔部に腕金取付具のねじ溝を螺合させて、防巣具取付用基台を腕金取付具に固定している。
【０００６】
特許文献１による防巣具の取り付け方法は、間接活線工法に対応した防巣具取付用基台及び防巣具取付用固定具を用いた安全で疲労の少ない防巣具の取り付け方法を提供できる、としている。
【先行技術文献】
【特許文献】
【０００７】
【特許文献１】特開２００７−１７４９６８号公報
【発明の概要】
【発明が解決しようとする課題】
【０００８】
特許文献１によれば、電柱の径方向に沿って延びる腕金に対し、この腕金の延出方向と交差する方向に防巣具取付用基台を架設している。そして、この防巣具取付用基台に防巣具の軸棒を固定している。
【０００９】
ところで、電線・通信回線などのケーブル及び配電設備（防巣具を含む）を電柱に新設又は追加する場合には、腕金を共架することが知られている。すなわち、新規又は追加共架の場合は、腕金による共架方式が採用されている。
【００１０】
しかしながら、特許文献１による防巣具取付用基台（実体として、腕金取付金具）は、腕金の延出方向と交差する方向に（腕金の途上に）架設しているので、既設の満杯の腕金にケーブル及び配電設備（防巣具を含む）を追加することは困難である。
【００１１】
既設の腕金にケーブル及び配電設備（防巣具を含む）などの共架物を増設可能な腕金取付金具が開発されれば、新規・追加の共架工事に迅速に対応できて、便利である。
【００１２】
本発明は、このような課題に鑑みてなされたものであり、既設の腕金にケーブルなどの共架物を増設可能な腕金取付金具を提供することを目的とする。
【課題を解決するための手段】
【００１３】
本発明者は、腕金の端部に設けられた碍子取付けボルト、又はストラップ取付け用ボルトを利用して、腕金の先端部に腕金取付金具を固定することにより、この課題が解決可能なことを見出し、これに基づいて、以下のような新たな腕金取付金具を発明するに至った。
【００１４】
（１）本発明による腕金取付金具は、電柱が立設する方向と略直交する水平方向に配置された角柱状の腕金の先端部に固定される腕金取付金具であって、前記腕金は、電線を支持する碍子であって、碍子本体、この碍子本体の軸方向に突出するボルト部材、及びこのボルト部材に螺合する第１ナットを有し、前記碍子本体及び前記第１ナットで締結される碍子を端部に備え、前記腕金の先端面に当接する第１当接面を設ける第１当接片、及びこの第１当接片の一方の片翼から前記第１当接面と略直交する方向に突出して、前記第１ナット及び前記ボルト部材の先端部が配置された前記腕金の一方の面に当接する第１支持面を設ける第１支持片を有する第１取付金具本体と、前記第１支持片を介して前記ボルト部材の先端部に螺合する第２ナットと、を備え、前記第１当接片は、共架物を支持する支持部を前記第１当接面と反対側の第２支持面に有し、前記第１支持片は、その先端面から切り欠かれ、前記第１ナットを逃げる第１開口及び前記ボルト部材の先端部を逃げる第２開口を設ける第１切り欠き部を有する。
【００１５】
（２）前記碍子は、電線を支持するための帯板状の第１ストラップであって、前記腕金の延出する方向と略直交する方向に延出するように配置され、当該腕金の両面に締結される一対の第１ストラップを支持し、前記第１支持片は、前記第１支持面から切り欠かれ、一方の前記第１ストラップを逃げる第２切り欠き部を有することが好ましい。
【００１６】
（３）本発明による腕金取付金具は、電柱が立設する方向と略直交する水平方向に配置された角柱状の腕金の先端部に固定される腕金取付金具であって、前記腕金は、電線を支持するための帯板状の第２ストラップであって、前記腕金の延出する方向と略直交する方向に延出するように配置され、ボルトと第３ナットを有して、当該腕金の両面に締結される一対の第２ストラップを端部に備え、前記腕金の先端面に当接する第２当接面を設ける第２当接片、この第２当接片の一方の片翼から当該第２当接面と略直交する方向に突出して、前記ボルトの頭部が配置された前記腕金の一方の面に当接する第３支持面を設ける第２支持片、及び前記第２当接片の他方の片翼から当該第２当接面と略直交する方向に突出して、前記第３ナット及び前記ボルトの先端部が配置された前記腕金の他方の面に当接する第４支持面を設ける第３支持片を有する第２取付金具本体と、前記第３支持片を介して前記ボルトの先端部に螺合する第４ナットと、を備え、前記第２当接片は、共架物を支持する支持部を前記第２当接面と反対側の第５支持面に有し、前記第２支持片は、その先端面から開口されて前記ボルトの頭部を逃げる溝部を有し、前記第３支持片は、その先端面から切り欠かれて前記ボルトの先端部を逃げる第３切り欠き部と、この第３切り欠き部に連通して前記第３ナットを逃げる段差部と、を有する。
【００１７】
（４）前記第２支持片は、前記第３支持面から切り欠かれ、一方の前記第２ストラップを逃げる第４切り欠き部を有することが好ましい。
【００１８】
（５）前記支持部は、軸棒の遠心方向に複数の槍状の枝棒を放射状に配列した防巣具を有することが好ましい。
【発明の効果】
【００１９】
本発明による腕金取付金具は、腕金の端部に碍子を支持するためのボルト部材を利用して、腕金の先端部に固定されることにより、既設の腕金の延出する方向にケーブル及び配電設備（防巣具を含む）などの共架物を増設できる。
【００２０】
又、本発明による腕金取付金具は、腕金の端部にストラップを支持するためのボルトを利用して、腕金の先端部に固定されることにより、既設の腕金の延出する方向にケーブル及び配電設備（防巣具を含む）などの共架物を増設できる。
【図面の簡単な説明】
【００２１】
【図１】本発明の第１実施形態による腕金取付金具の外観を示す正面図である。
【図２】第１実施形態による腕金取付金具の構成を示す斜視分解組立図である。
【図３】第１実施形態による腕金取付金具の構成を示す正面図である。
【図４】第１実施形態による腕金取付金具の構成を示す右側面図である。
【図５】第１実施形態による腕金取付金具の構成を示す下面図である。
【図６】本発明の第２実施形態による腕金取付金具の外観を示す正面図である。
【図７】第２実施形態による腕金取付金具の構成を示す斜視分解組立図である。
【図８】第２実施形態による腕金取付金具の構成を示す正面図である。
【図９】第２実施形態による腕金取付金具の構成を示す右側面図である。
【図１０】第２実施形態による腕金取付金具の構成を示す平面図である。
【図１１】第２実施形態による腕金取付金具の構成を示す下面図である。
【発明を実施するための形態】
【００２２】
以下、図面を参照して本発明を実施するための形態を説明する。なお、以下の実施形態では、本発明による腕金取付金具に支持される共架物は、防巣具を一実施例に挙げて説明する。
【００２３】
［第１実施形態］
（第１実施形態の構成）
最初に、本発明の第１実施形態による腕金取付金具の構成を説明する。図１は、本発明の第１実施形態による腕金取付金具の外観を示す正面図である。
【００２４】
図１を参照すると、第１実施形態による腕金取付金具（以下、取付金具と略称する）１０は、角柱状の腕金６の先端部に固定されている。腕金６は、その中央部が例えばＵボルトで電柱Ｐに支持されている。又、腕金６は、その両端部を電柱Ｐが立設する方向と略直交する水平方向に配置している。腕金６の端部には、碍子５を配置している。
【００２５】
腕金６０は、片持ち状態で電柱Ｐに支持されている。腕金６０は、開閉器Ｓを懸架している。取付金具１０は、開閉器Ｓの上方に位置する腕金６の端部に取り付けられている。そして、取付金具１０は、その端部に防巣具９を配置している。
【００２６】
防巣具９は、軸棒９１と複数の槍状の枝棒９２で構成している。防巣具９は、軸棒９１の遠心方向に複数の枝棒９２を放射状に配列している。枝棒９２は、その基端部が軸棒９１に固定され、先端部が下り傾斜するように延出している。防巣具９を開閉器Ｓの上部に近接して配置することにより、開閉器Ｓでの鳥の営巣を防止できる。
【００２７】
続いて、第１実施形態による取付金具１０の構成を更に説明する。図２は、第１実施形態による腕金取付金具の構成を示す斜視分解組立図である。図３は、第１実施形態による腕金取付金具の構成を示す正面図である。図４は、第１実施形態による腕金取付金具の構成を示す右側面図である。図５は、第１実施形態による腕金取付金具の構成を示す下面図である。
【００２８】
図１から図５を参照すると、腕金６は、電線（図示せず）を支持する碍子５を端部に備えている。碍子５は、碍子本体５ａ、ボルト部材５ｂ、及び第１ナット５ｃを有している。ボルト部材５ｂは、碍子本体５ａの軸方向に突出している。第１ナット５ｃは、ボルト部材５ｂに螺合できる。
【００２９】
腕金６の端部には、ボルト部材５ｂが挿入される穴６ｈが貫通している。そして、碍子５は、ボルト部材５ｂが穴６ｈに挿入されて、碍子本体５ａと第１ナット５ｃとで腕金６の端部に締結されている。
【００３０】
碍子５は、第１ナット５ｃで一方の面６ａに挟持される一組の帯板状の第１ストラップ８１・８１を支持している。同様に、碍子５は、碍子本体５ａで他方の面６ｂに挟持される一組の第１ストラップ８１・８１を支持している。
【００３１】
一組の第１ストラップ８１・８１は、それらの端部が互いに重なりあって、腕金６の延出する方向と略直交する方向に延出するように配置されている。一組の第１ストラップ８１・８１は、それらの延出する方向に沿って、電線（図示せず）を支持できる。又、第１ストラップ８１は、端部に設けた取付穴８１ａに碍子（図示せず）を支持することもできる。
【００３２】
取付金具１０は、第１取付金具本体１と第２ナット１ｎを備えている。第１取付金具本体１は、第１当接片１１と第１支持片１２とで略Ｌ字状に構成されている。第１当接片１１は、腕金６の先端面６ｃに当接する第１当接面１１ａを設けている。
【００３３】
第１支持片１２は、第１当接片１１の一方の片翼から、第１当接面１１ａと略直交する方向に突出している。又、第１支持片１２は、腕金６の一方の面６ａに当接する第１支持面１２ａを設けている。腕金６の一方の面６ａには、第１ナット５ｃ及びボルト部材５ｂの先端部が配置されている。
【００３４】
第２ナット１ｎは、ボルト部材５ｂの先端部に螺合できる。第１支持片１２を介して、ボルト部材５ｂの先端部に第２ナット１ｎを締結すると、取付金具１０を腕金６の先端部に固定できる。なお、第２ナット１ｎと第１支持片１２との間には、平座金１ｗが介在されている。
【００３５】
又、第１当接片１１は、防巣具９などの共架物を支持する支持部１３を第１当接面１１ａと反対側の第２支持面１１ｂに有している。図示された支持部１３は、Ｌ字状に屈曲した棒状のアーム１３ａとパイプ状の軸受１３ｂで構成している。
【００３６】
アーム１３ａの基端部は、第２支持面１１ｂに固定されている。アーム１３ａの先端部は、軸受１３ｂの外周に固定されている。軸棒９１の基端部を軸受１３ｂに挿入して、防巣具９を立脚するように支持できる（図１参照）。
【００３７】
第１支持片１２は、その先端面から切り欠かれた第１切り欠き部１２１を有している。第１切り欠き部１２１は、第１ナット５ｃを逃げる第１開口１２ｂを先端面に開口している。又、第１切り欠き部１２１は、ボルト部材５ｂの先端部を逃げる第２開口１２ｃを先端面に開口している。
【００３８】
更に、第１支持片１２は、第１支持面１２ａから段差状に切り欠かれ、一方の第１ストラップ８１を逃げる第２切り欠き部１２２を有している。
【００３９】
第１当接片１１は、その他方の片翼から突出する上壁１１１を有している。又、第１当接片１１は、その両側部から突出する一対の側壁１１２・１１２を有している。上壁１１１及び一対の側壁１１２・１１２は、第１当接面１１ａを囲うように形成されている。
【００４０】
第１当接面１１ａが腕金６の先端面６ｃに当接した状態では、上壁１１１及び一対の側壁１１２・１１２は、碍子本体５ａ及び一組の第１ストラップ８１・８１に当接しないように、第１当接面１１ａから延出している。
【００４１】
（第１実施形態の作用）
次に、第１実施形態による取付金具１０の作用及び効果を説明する。図１から図５を参照すると、取付金具１０は、腕金６の先端部に向かって進行させることにより、腕金６に取付けることができる。
【００４２】
第１切り欠き部１２１は、第１ナット５ｃを逃げる第１開口１２ｂ、及びボルト部材５ｂの先端部を逃げる第２開口１２ｃを先端面に開口している。したがって、第１ナット５ｃ及びボルト部材５ｂの先端部に干渉することなく、第１支持片１２を腕金６の先端部に向かって進行させることができる。
【００４３】
又、第１支持片１２は、一方の第１ストラップ８１を逃げる第２切り欠き部１２２を有している。したがって、一方の第１ストラップ８１を回避して、第１支持面１２ａを腕金６の一方の面６ａに当接することができる。
【００４４】
取付金具１０は、第１当接面１１ａが腕金６の先端面６ｃに当接した状態で、第１支持片１２を介して、ボルト部材５ｂの先端部に第２ナット１ｎを締結することにより、第１取付金具本体１を腕金６の先端部に固定することができる。
【００４５】
第１取付金具本体１を腕金６の先端部に固定した状態では、上壁１１１及び一対の側壁１１２・１１２が腕金６の先端部を嵌合するように囲っているので、取付金具１０の支持強度を向上できる。
【００４６】
本発明の第１実施形態による取付金具１０は、端部に碍子及びストラップを備える既存の腕金の先端部に増設することが容易である。そして、図１に示されるように、開閉器Ｓの上方に位置するように取付金具１０を配置して、防巣具９を支持することにより、開閉器Ｓでの鳥の営巣を防止できる。
【００４７】
本発明の第１実施形態による取付金具１０は、防巣具９を支持することに限定されない。支持部１３には、共架物として、碍子を増設してもよく、ストラップを増設してもよい。これにより、既設の腕金の延出する方向に電線及びケーブルなどの共架物を増設できる。
【００４８】
［第２実施形態］
（第２実施形態の構成）
次に、本発明の第２実施形態による腕金取付金具の構成を説明する。なお、第１実施形態の説明で使用された符号と同じ符号の構成品は、その作用を同一とするので、説明を割愛する場合がある。
【００４９】
図６は、本発明の第２実施形態による腕金取付金具の外観を示す正面図である。図７は、第２実施形態による腕金取付金具の構成を示す斜視分解組立図である。図８は、第２実施形態による腕金取付金具の構成を示す正面図である。
【００５０】
又、図９は、第２実施形態による腕金取付金具の構成を示す右側面図である。図１０は、第２実施形態による腕金取付金具の構成を示す平面図である。図１１は、第２実施形態による腕金取付金具の構成を示す下面図である。
【００５１】
図６を参照すると、第１実施形態による取付金具２０は、角柱状の腕金６の先端部に固定されている。腕金６の端部には、ボルト７を配置している。取付金具２０は、開閉器Ｓの上方に位置する腕金６の端部に取り付けられている。そして、取付金具２０は、その端部に防巣具９を配置している。
【００５２】
図６から図１１を参照すると、腕金６は、電線（図示せず）を支持するための一対の帯板状の第２ストラップ８２・８２を端部に備えている。又、腕金６は、ボルト７と第３ナット７ｃを有している。第３ナット７ｃは、ボルト７の軸部７ｂに螺合できる。
【００５３】
腕金６の端部には、ボルト７の軸部７ｂが挿入される穴６ｈが貫通している。そして、ボルト７は、軸部７ｂが穴６ｈに挿入されて、頭部７ａと第３ナット７ｃとで腕金６の端部に締結されている。
【００５４】
腕金６は、第３ナット７ｃで一方の面６ａに挟持される一組の第２ストラップ８２・８２を備えている。同様に、腕金６は、ボルト７の頭部７ａで他方の面６ｂに挟持される一組の第２ストラップ８２・８２を備えている。
【００５５】
一組の第２ストラップ８２・８２は、それらの端部が互いに重なりあって、腕金６の延出する方向と略直交する方向に延出するように配置されている。一組の第２ストラップ８２・８２は、それらの延出する方向に沿って、電線（図示せず）を支持できる。又、第２ストラップ８２は、端部に設けた取付穴８２ａに碍子（図示せず）を支持することもできる。
【００５６】
なお、第１ストラップ８１と第２ストラップ８２とは、同じものであるが、説明の便宜上、序列番号と符号を変えて区別した。同様に、第１ナット５ｃ、第２ナット１ｎ、第３ナット７ｃ、及び後述する第４ナット２ｎは、同じものであってもよいが、説明の便宜上、序列番号と符号を変えて区別した。
【００５７】
取付金具２０は、第２取付金具本体２と第４ナット２ｎを備えている。第２取付金具本体２は、第２当接片２１、第２支持片２２、及び第３支持片２３を有している。第２当接片２１は、腕金６の先端面６ｃに当接する第２当接面２１ａを設けている。
【００５８】
第２支持片２２は、第２当接片２１の一方の片翼から、第２当接面２１ａと略直交する方向に突出している。又、第２支持片２２は、腕金６の一方の面６ａに当接する第３支持面２２ａを設けている。腕金６の一方の面６ａには、ボルト７の頭部７ａが配置されている。
【００５９】
第２当接片２１は、その他方の片翼から突出する上壁２３１を有している。又、第２当接片２１は、その両側部から突出する一対の側壁２３２・２３２を有している。上壁２３１及び一対の側壁２３２・２３２は、第２当接面２１ａを囲うように形成されている。
【００６０】
第３支持片２３は、上壁２３１から更に延出して、第２当接面２１ａと略直交する方向に突出している。又、第３支持片２３は、腕金６の他方の面６ｂに当接する第４支持面２３ａを設けている。腕金６の他方の面６ｂには、第３ナット７ｃ及びボルト７の先端部が配置されている。
【００６１】
第４ナット２ｎは、ボルト７の先端部に螺合できる。第３支持片２３を介して、ボルト７の先端部に第４ナット２ｎを螺合すると、取付金具２０を腕金６の先端部に固定できる。なお、第４ナット２ｎと第３支持片２３との間には、平座金２ｗが介在されている。
【００６２】
又、第２当接片２１は、防巣具９などの共架物を支持する支持部１３を第２当接面２１ａと反対側の第５支持面２１ｂに有している。図示された支持部１３は、Ｌ字状に屈曲した棒状のアーム１３ａとパイプ状の軸受１３ｂで構成している。
【００６３】
アーム１３ａの基端部は、第５支持面２１ｂに固定されている。アーム１３ａの先端部は、軸受１３ｂの外周に固定されている。軸棒９１の基端部を軸受１３ｂに挿入して、防巣具９を立脚するように支持できる（図６参照）。
【００６４】
第２支持片２２は、その先端面から開口されて、ボルト７の頭部７ａを逃げる溝部２２１を有している。又、第２支持片２２は、一対の対向する折り曲げ片２２ｂ・２２ｂを先端部及び基端部に有している。一対の折り曲げ片２２ｂ・２２ｂは、第３支持面２２ａの両翼が略直角に折り曲げられている。一対の折り曲げ片２２ｂ・２２ｂは、腕金６の両側面６ｄ・６ｅを挟持できる。
【００６５】
更に、第２支持片２２は、第３支持面２２ａから段差状に切り欠かれ、一方の第２ストラップ８２を逃げる第４切り欠き部２２４を有している。
【００６６】
一方、第３支持片２３は、その先端面から切り欠かれ、ボルト７の先端部（軸部７ｂ）を逃げる第３切り欠き部２３３を有している。又、第３支持片２３は、第３切り欠き部２３３に連通しており、第３ナット７ｃを逃げる段差部２３４を有している。
【００６７】
第２当接面２１ａが腕金６の先端面６ｃに当接した状態では、上壁２３１及び一対の側壁２３２・２３２は、一対の第２ストラップ８２・８２に干渉しないように、第２当接面２１ａから延出している。
【００６８】
（第２実施形態の作用）
次に、第２実施形態による取付金具２０の作用及び効果を説明する。図６から図１０を参照すると、取付金具２０は、腕金６の先端部に向かって進行させることにより、腕金６に取付けることができる。
【００６９】
第２支持片２２は、その先端面から開口されて、ボルト７の頭部７ａを逃げる溝部２２１を有している。したがって、ボルト７の頭部７ａに干渉することなく、第２支持片２２を腕金６の先端部に向かって進行させることができる。
【００７０】
一方、第３支持片２３は、その先端面から切り欠かれ、ボルト７の先端部（軸部７ｂ）を逃げる第３切り欠き部２３３を有している。更に、第３支持片２３は、第３ナット７ｃを逃げる段差部２３４を有している。したがって、第３ナット７ｃ及びボルト７の先端部に干渉することなく、第３支持片２３を腕金６の先端部に向かって進行させることができる。
【００７１】
又、第２支持片２２は、一方の第２ストラップ８２を逃げる第４切り欠き部２２４を有している。したがって、一方の第２ストラップ８２を回避して、第３支持面２２ａを腕金６の一方の面６ａに当接することができる。
【００７２】
取付金具２０は、第２当接面２１ａが腕金６の先端面６ｃに当接した状態で、第３支持片２３を介して、ボルト７の先端部に第４ナット２ｎを締結することにより、第２取付金具本体２を腕金６の先端部に固定することができる。
【００７３】
第２取付金具本体２を腕金６の先端部に固定した状態では、上壁２３１及び一対の側壁２３２・２３２が腕金６の先端部を嵌合するように囲っているので、取付金具２０の支持強度を向上できる。更に、一対の折り曲げ片２２ｂ・２２ｂが腕金６の両側面６ｄ・６ｅを挟持しているので、取付金具２０の支持強度を向上できる。
【００７４】
本発明の第２実施形態による取付金具２０は、端部に一対のストラップを備える既存の腕金の先端部に増設することが容易である。そして、図６に示されるように、開閉器Ｓの上方に位置するように取付金具２０を配置して、防巣具９を支持することにより、開閉器Ｓでの鳥の営巣を防止できる。
【００７５】
本発明の第２実施形態による取付金具１０は、防巣具９を支持することに限定されない。支持部１３には、共架物として、碍子を増設してもよく、ストラップを増設してもよい。これにより、既設の腕金の延出する方向に電線及びケーブルなどの共架物を増設できる。
【符号の説明】
【００７６】
１  第１取付金具本体
１ｎ  第２ナット
５  碍子
５ａ  碍子本体
５ｂ  ボルト部材
５ｃ  第１ナット
６  腕金
６ａ  一方の面
６ｂ  他方の面
６ｃ  先端面
９  防巣具（共架物）
１０  取付金具（腕金取付金具）
１１  第１当接片
１１ａ  第１当接面
１１ｂ  第２支持面
１２  第１支持片
１２ａ  第１支持面
１２ｂ  第１開口
１２ｃ  第２開口
１３  支持部
１２１  第１切り欠き部
Ｐ  電柱
【図１】
0005420370.tif 000002
【図２】
0005420370.tif 000003
【図３】
0005420370.tif 000004
【図４】
0005420370.tif 000005
【図５】
0005420370.tif 000006
【図６】
0005420370.tif 000007
【図７】
0005420370.tif 000008
【図８】
0005420370.tif 000009
【図９】
0005420370.tif 000010
【図１０】
0005420370.tif 000011
【図１１】
0005420370.tif 000012